(57)【要約】【課題】昨今の脱硫率およびばいじん除去率に対する市場の高い要求に対応し、かつ取水制限にも適応し、制定が見込まれる新排水規制値を満足する排ガス浄化処理装置と方法を提供すること。【解決手段】吸収塔１内に導入したボイラ排ガスと石灰石スラリを反応させて排ガス中の硫黄酸化物を亜硫酸塩とした後に酸化させて石膏を生成させ、次いで石膏脱水機１７により副生成物として生成された石膏スラリを石膏とろ液とに固液分離し、該ろ液を排水処理設備４８により処理されたろ液中の塩素濃度を検出し、検出された塩素濃度により加熱、蒸発させるろ液と補給水により希釈させるろ液に分流し、ボイラ１からの蒸気により加熱と蒸発をした後のろ液の塩素濃度により前記加熱用の蒸気量を調節し、また、前記補給水による希釈後のろ液の塩素濃度を測定し、該塩素濃度により、ろ液の希釈用の補給水量を調節することを特徴とする排ガス処理方法とそのための装置である。【選択図】図１
2016059890.tif 000002
【特許請求の範囲】
【請求項１】
ボイラ排ガス中の硫黄化合物と石灰石スラリを反応させる吸収塔（７）と、該吸収塔（７）内で副生成物として生成された石膏スラリを石膏とろ液とに固液分離する石膏脱水機（１７）と、溶解度の高い塩素成分を含むろ液を処理して海・河川等に放流する排水処理設備（４８）を有する排ガス処理装置において、
排水処理設備（４８）の出口部にろ液蒸発用ライン（２３）を接続し、
該ろ液蒸発用ライン（２３）には上流側から下流側に向けて蒸発用ろ液を蓄える蒸発用ろ液槽（３６）とろ液を加熱する熱交換器（４０）とろ液から水分を蒸発させる蒸発装置（４１）と排出されるろ液を貯留する産業廃棄用ろ液受槽（３８）を順次設け、
前記蒸発用ろ液槽（３６）の前流側のろ液蒸発用ライン（２３）から分岐したろ液放流用ライン（２２）を設け、
該ろ液放流用ライン（２２）にはろ液放流箇所の前流側にろ液を希釈するろ液希釈槽（３７）を設け、
該ろ液希釈槽（３７）に補給水を供給する補給水ライン（４６）を設け、
ボイラ（１）で得られた蒸気を蒸発装置（４１）でのろ液加熱用蒸気として供給するボイラ蒸気供給ライン（２４）を設け、
熱交換器（４０）における熱交換後のドレン水をろ液希釈槽（３７）に送るろ液希釈用ドレン水ライン（２６）を設け、
排水処理設備（４８）の出口部のろ液蒸発用ライン（２３）と蒸発装置（４１）の出口部のろ液蒸発用ライン（２３）及びろ液希釈装置（３７）の出口部のろ液放流用ライン（２２）にはそれぞれ対応する塩素濃度計（５０、４４、４５）を設け、
ろ液放流用ライン（２２）への分岐部と蒸発用ろ液槽（３６）の間のろ液蒸発用ライン（２３）と、ろ液希釈槽（３７）の前流側のろ液放流用ライン（２２）と、ボイラ蒸気供給ライン（２４）と、補給水ライン（４６）にそれぞれ対応する流量調節弁（５１、３３、３５、３４）を設け、
ろ液蒸発用ライン（２３）と、ろ液希釈槽（３７）の前流側のろ液放流用ライン（２２）と、補給水ライン（４６）にそれぞれ対応する流量計（４３、４２、５２）を設け、
ろ液蒸発用ライン（２３）の蒸気配管塩素濃度計（４４）の測定値に基づき該ろ液蒸発用ライン（２３）内のろ液の塩素濃度が蒸発装置（４１）の蒸発管にスケーリングを発生させる濃度を超える場合には、ろ液蒸発用ライン（２３）からのろ液を産業廃棄用ろ液受槽（３８）に貯留する制御を行い、
ろ液蒸発用ライン（２３）の蒸気配管塩素濃度計（４４）の測定値に基づき該ろ液蒸発用ライン（２３）内のろ液の塩素濃度が蒸発装置（４１）の蒸発管にスケーリングを発生させる濃度以下である場合には、ろ液中の塩素濃度を放流可能な濃度にして放流する制御を行う制御装置（７０）を備えたことを特徴とする排ガス処理装置。
【請求項２】
制御装置（７０）が、ろ液蒸発用ライン（２３）の蒸気配管塩素濃度計（５０）の測定値に基づき該ろ液蒸発用ライン（２３）内のろ液の塩素濃度が蒸発装置（４１）の蒸発管にスケーリングを発生させる濃度を超えると、ろ液放流用ライン（２２）のろ液放流用流量調節弁（３３）と補給水ライン（４６）の補給水流量調節弁（３４）とろ液蒸発用ライン（２３）のろ液蒸発用流量調節弁（５１）とをいずれも開き、蒸発用ろ液槽（３６）の後流側のろ液蒸発用ライン（２３）にあるろ液抜き出しポンプ（４９）を起動し、
ろ液蒸発用ライン（２３）のろ液塩素濃度計（５０）とろ液流量計（４３）により算出されるろ液の必要希釈水量が発電所の法定の取水制限を超える場合、ろ液放流用ライン（２２）のろ液放流用流量調節弁（３３）と補給水ライン（４６）の補給水流量調節弁（３４）を閉としてろ液放流流量と補給水流量をゼロとし、ろ液蒸発用ライン（２３）からのろ液を産業廃棄用ろ液受槽（３８）に貯留する制御を行う制御構成を備えていることを特徴とする請求項１記載の排ガス処理装置。
【請求項３】
制御装置（７０）が、ろ液蒸発用ライン（２３）の蒸気配管塩素濃度計（５０）の測定値に基づき該ろ液蒸発用ライン（２３）内のろ液の塩素濃度が蒸発装置（４１）の蒸発管にスケーリングを発生させる濃度を超える場合には、ろ液放流用ライン（２２）のろ液放流用流量調節弁（３３）と補給水ライン（４６）の補給水流量調節弁（３４）とろ液蒸発用ライン（２３）のろ液蒸発用流量調節弁（５１）とをいずれも開き、蒸発用ろ液槽（３６）の後流側のろ液蒸発用ライン（２３）にあるろ液抜き出しポンプ（４９）を起動し、
ろ液蒸発用ライン（２３）のろ液塩素濃度計（５０）とろ液の流量計（４３）により算出されるろ液の必要希釈水量が発電所の法定の取水制限以下である場合、ろ液蒸発用ライン（２３）のろ液蒸発用流量調節弁（５１）を閉とし、ろ液抜き出しポンプ（４９）を停止し、ろ液放流用ライン（２２）のろ液放流用流量と補給水ライン（４６）の補給水流量をそれぞれ調節し、
前記ろ液放流用ライン（２２）の放流ろ液塩素濃度計（４５）で得られる放流ろ液塩素濃度が放流ろ液の塩素濃度の規制値未満であれば、ろ液を放流し、放流ろ液塩素濃度計（４５）で得られる放流ろ液塩素濃度が排水塩素濃度の規制値以上であると、補給水ライン（４６）の補給水流量調節弁（３４）の開度調節により補給水をろ液希釈槽（３７）に供給して前記の放流ろ液塩素濃度計（４５）で得られる塩素濃度が放流ろ液の塩素濃度の規制値未満になるように調整した後、放流する制御を行う制御構成を備えていることを特徴とする請求項１記載の排ガス処理装置。
【請求項４】
制御装置（７０）が、ろ液蒸発用ライン（２３）の蒸気配管塩素濃度計（５０）の測定値に基づき該ろ液蒸発用ライン（２３）内のろ液の塩素濃度が蒸発装置（４１）の蒸発管にスケーリングを発生させる濃度以下である場合には、ろ液放流用ライン（２２）のろ液放流用流量調節弁（３３）と補給水ライン（４６）の補給水流量調節弁（３４）とろ液蒸発用ライン（２３）のろ液蒸発用流量調節弁（５１）とをいずれも開き、蒸発用ろ液槽（３６）の後流側のろ液蒸発用ライン（２３）にあるろ液抜き出しポンプ（４９）を起動し、
ろ液蒸発用ライン（２３）のろ液塩素濃度計（５０）とろ液の流量計（４３）により算出されるろ液の必要希釈水量が発電所の法定の取水制限以下である場合、ろ液蒸発用ライン（２３）のろ液蒸発用流量調節弁（５１）を閉とし、ろ液抜き出しポンプ（４９）を停止し、前記ろ液放流用ライン（２２）の放流ろ液塩素濃度計（４５）で得られる放流ろ液塩素濃度が排水塩素濃度の規制値以上であると、補給水ライン（４６）の補給水流量調節弁（３４）の開度調節により補給水をろ液希釈槽（３７）に供給して前記の放流ろ液塩素濃度計（４５）で得られる塩素濃度が放流ろ液の塩素濃度の規制値未満になるように調整した後、放流する制御を行う制御構成を備えていることを特徴とする請求項１記載の排ガス処理装置。
【請求項５】
制御装置（７０）は、ろ液蒸発用ライン（２３）の蒸気配管塩素濃度計（５０）の測定値に基づき該ろ液蒸発用ライン（２３）内のろ液の塩素濃度が蒸発装置（４１）の蒸発管にスケーリングを発生させる濃度以下である場合には、ろ液放流用ライン（２２）のろ液放流用流量調節弁（３３）と補給水ライン（４６）の補給水流量調節弁（３４）とろ液蒸発用ライン（２３）のろ液蒸発用流量調節弁（５１）とをいずれも開き、蒸発用ろ液槽（３６）の後流側のろ液蒸発用ライン（２３）にあるろ液抜き出しポンプ（４９）を起動し、
ろ液蒸発用ライン（２３）のろ液塩素濃度計（５０）とろ液の流量計（４３）により算出されるろ液の必要希釈水量が発電所の法定の取水制限を超える場合、発電所の法定の取水制限を超えない希釈水量により希釈可能なろ液量を算出し、前記ろ液放流用流量調節弁（３３）の流量を該希釈可能なろ液量に設定し、前記ろ液放流用ライン（２２）の放流ろ液塩素濃度計（４５）で得られる放流ろ液塩素濃度が排水塩素濃度の規制値以上であると、補給水ライン（４６）の補給水流量調節弁（３４）の開度調節により補給水をろ液希釈槽（３７）に供給して前記の放流ろ液塩素濃度計（４５）で得られる塩素濃度が放流ろ液の塩素濃度の規制値未満になるように調整した後、放流する制御を行うとともに、
前記ろ液の流量計（４３）により測定されたろ液量から前記希釈可能なろ液を減じて得られたろ液量を、前記ろ液蒸発用流量調節弁（５１）の流量に設定し、ボイラ蒸気供給ライン（２４）のボイラ供給蒸気流量調整弁（３５）を開き、ろ液蒸発用ライン（２３）の蒸気配管塩素濃度計（４４）の測定値により検出されるろ液蒸発用ライン（２３）内のろ液の塩素濃度に応じて、ボイラ供給蒸気流量調整弁（３５）により蒸発装置（４１）に供給される蒸気量を調整して、ろ液を産業廃棄用ろ液受槽（３８）に貯留する制御を行う制御構成を備えていることを特徴とする請求項１記載の排ガス処理装置。
【請求項６】
請求項１記載の排ガス処理装置を用いて、吸収塔（１）内に導入したボイラ排ガスと石灰石スラリを反応させて排ガス中の硫黄酸化物を亜硫酸塩とした後に酸化させて石膏を生成させ、次いで石膏脱水機（１７）により副生成物として生成された石膏スラリを石膏とろ液とに固液分離し、該ろ液を排水処理設備（４８）により処理した後の、溶解度の高い塩素を含むろ液を海・河川等に放流する排ガス処理方法において、
前記排水処理設備（４８）により排水処理されたろ液の塩素濃度に基づき加熱、蒸発させるろ液と補給水により希釈させるろ液に分流し、前記加熱、蒸発させて濃縮したろ液の塩素濃度を測定し、該塩素濃度が蒸発装置（４１）の蒸発管にスケーリングを発生させる濃度を超える場合には産業廃棄用ろ液としてろ液受槽（３８）に受けて貯留し、前記塩素濃度が規制値以下であれば、ろ液中の塩素濃度を放流可能な濃度にして放流することを特徴とする排ガス処理方法。
【請求項７】
ろ液蒸発用ライン（２３）のろ液の塩素濃度が蒸発装置（４１）の蒸発管にスケーリングを発生させる濃度を超え、ろ液蒸発用ライン（２３）のろ液塩素濃度計（５０）とろ液の流量計（４３）により算出されるろ液の必要希釈水量が発電所の法定の取水制限を超える場合には、ろ液放流用ライン（２２）のろ液放流流量と補給水流量をゼロとし、ろ液蒸発用ライン（２３）からのろ液を産業廃棄用ろ液受槽（３８）に貯留することを特徴とする請求項６記載の排ガス処理方法。
【請求項８】
ろ液蒸発用ライン（２３）のろ液の塩素濃度が蒸発装置（４１）の蒸発管にスケーリングを発生させる濃度を超え、ろ液蒸発用ライン（２３）のろ液塩素濃度計（５０）とろ液の流量計（４３）により算出されるろ液の必要希釈水量が発電所の法定の取水制限以下である場合には、ろ液蒸発用ライン（２３）を閉じ、ろ液放流用ライン（２２）のろ液放流用流量と補給水ライン（４６）の補給水流量をそれぞれ調節し、ろ液希釈槽（３７）の後流のろ液放流用ライン（２２）の放流ろ液塩素濃度が放流ろ液の塩素濃度の規制値未満であれば、ろ液を放流し、前記ろ液放流用ライン（２２）の放流ろ液塩素濃度が放流ろ液の塩素濃度の規制値以上であると、補給水流量調節弁（３４）の開度調節により補給水ライン（４６）の補給水を調整してろ液希釈槽（３７）に供給して前記の放流ろ液塩素濃度が放流ろ液の塩素濃度の規制値未満になるように調整した後、放流することを特徴とする請求項６記載の排ガス処理方法。
【請求項９】
ろ液蒸発用ライン（２３）内のろ液の塩素濃度が蒸発装置（４１）の蒸発管にスケーリングを発生させる濃度以下であり、ろ液蒸発用ライン（２３）のろ液塩素濃度計（５０）とろ液の流量計（４３）により算出されるろ液の必要希釈水量が発電所の法定の取水制限以下である場合、ろ液蒸発用ライン（２３）を閉じ、ろ液放流用ライン（２２）のろ液放流用流量と補給水ライン（４６）の補給水流量をそれぞれ調節し、ろ液希釈槽（３７）の後流のろ液放流用ライン（２２）の放流ろ液塩素濃度が放流ろ液の塩素濃度の規制値未満であれば、ろ液を放流し、前記ろ液放流用ライン（２２）の放流ろ液塩素濃度が放流ろ液の塩素濃度の規制値以上であると、補給水流量調節弁（３４）の開度調節により補給水ライン（４６）の補給水を調整してろ液希釈槽（３７）に供給して前記の放流ろ液塩素濃度が放流ろ液の塩素濃度の規制値未満になるように調整した後、放流することを特徴とする請求項６記載の排ガス処理方法。
【請求項１０】
ろ液蒸発用ライン（２３）内のろ液の塩素濃度が蒸発装置（４１）の蒸発管にスケーリングを発生させる濃度以下であり、ろ液蒸発用ライン（２３）のろ液塩素濃度計（５０）とろ液の流量計（４３）により算出されるろ液の必要希釈水量が発電所の法定の取水制限を超える場合、発電所の法定の取水制限を超えない希釈水量により希釈可能なろ液量を算出し、ろ液放流用ライン（２２）の流量を該希釈可能なろ液量に設定し、補給水ライン（４６）の補給水流量を調節し、ろ液希釈槽（３７）の後流のろ液放流用ライン（２２）の放流ろ液塩素濃度が放流ろ液の塩素濃度の規制値未満であれば、ろ液を放流し、前記ろ液放流用ライン（２２）の放流ろ液塩素濃度が放流ろ液の塩素濃度の規制値以上であると、補給水流量調節弁（３４）の開度調節により補給水ライン（４６）の補給水を調整してろ液希釈槽（３７）に供給して前記の放流ろ液塩素濃度が放流ろ液の塩素濃度の規制値未満になるように調整した後、放流する制御を行うとともに、
前記ろ液の流量計（４３）により測定されたろ液量から前記希釈可能なろ液量を減じて得られたろ液量を、前記ろ液蒸発用ライン（２３）の流量に設定し、ボイラ蒸気供給ライン（２４）からのボイラ蒸気供給を開始し、ろ液蒸発用ライン（２３）の蒸気配管塩素濃度計（４４）の測定値により検出されるろ液蒸発用ライン（２３）内のろ液の塩素濃度に応じて、蒸発装置（４１）に供給される蒸気量を調整して、ろ液を産業廃棄用ろ液受槽（３８）に貯留することを特徴とする請求項６記載の排ガス処理方法。
【請求項１１】
制御装置（７０）は、ろ液放流用ライン（２２）のろ液放流用流量調節弁（３３）と補給水ライン（４６）の補給水流量調節弁（３４）とろ液蒸発用ライン（２３）のろ液蒸発用流量調節弁（５１）とをいずれも開き、蒸発用ろ液槽（３６）の後流側のろ液蒸発用ライン（２３）にあるろ液抜き出しポンプ（４９）を起動し、
ろ液蒸発用ライン（２３）のろ液塩素濃度計（５０）とろ液の流量計（４３）により算出されるろ液の必要希釈水量が発電所の法定の取水制限を超える場合、発電所の法定の取水制限を超えない希釈水量により希釈可能なろ液量を算出し、前記ろ液放流用流量調節弁（３３）の流量を該希釈可能なろ液量に設定し、前記ろ液放流用ライン（２２）の放流ろ液塩素濃度計（４５）で得られる放流ろ液塩素濃度が排水塩素濃度の規制値以上であると、補給水ライン（４６）の補給水流量調節弁（３４）の開度調節により補給水をろ液希釈槽（３７）に供給して前記の放流ろ液塩素濃度計（４５）で得られる塩素濃度が放流ろ液の塩素濃度の規制値未満になるように調整した後、放流する制御を行うとともに、
前記ろ液の流量計（４３）により測定されたろ液量から前記希釈可能なろ液量を減じて得られたろ液量を、前記ろ液蒸発用流量調節弁（５１）の流量に設定し、
ろ液蒸発用ライン（２３）の蒸気配管塩素濃度計（５０）の測定値に基づき該ろ液蒸発用ライン（２３）内のろ液の塩素濃度が蒸発装置（４１）の蒸発管にスケーリングを発生させる濃度を超える場合には、ろ液蒸発用ライン（２３）からのろ液を産業廃棄用ろ液受槽（３８）に貯留する制御を行い、
ろ液蒸発用ライン（２３）内のろ液の塩素濃度が蒸発装置（４１）の蒸発管にスケーリングを発生させる濃度以下である場合には、ボイラ蒸気供給ライン（２４）のボイラ供給蒸気流量調整弁（３５）を開き、ろ液蒸発用ライン（２３）の蒸気配管塩素濃度計（４４）の測定値により検出されるろ液蒸発用ライン（２３）内のろ液の塩素濃度に応じて、ボイラ供給蒸気流量調整弁（３５）により蒸発装置（４１）に供給される蒸気量を調整して、ろ液を産業廃棄用ろ液受槽（３８）に貯留する制御を行う制御構成を備えていることを特徴とする請求項１記載の排ガス処理装置。
【請求項１２】
ろ液蒸発用ライン（２３）のろ液塩素濃度計（５０）とろ液の流量計（４３）により算出されるろ液の必要希釈水量が発電所の法定の取水制限を超える場合、発電所の法定の取水制限を超えない希釈水量により希釈可能なろ液量を算出し、ろ液放流用ライン（２２）の流量を該希釈可能なろ液量に設定し、該希釈可能なろ液量に対応する補給水ライン（４６）の補給水流量を調節し、ろ液希釈槽（３７）の後流のろ液放流用ライン（２２）の放流ろ液塩素濃度が放流ろ液の塩素濃度の規制値未満であれば、ろ液を放流し、前記ろ液放流用ライン（２２）の放流ろ液塩素濃度が放流ろ液の塩素濃度の規制値以上であると、補給水流量調節弁（３４）の開度調節により補給水ライン（４６）の補給水を調整してろ液希釈槽（３７）に供給して前記の放流ろ液塩素濃度が放流ろ液の塩素濃度の規制値未満になるように調整した後、放流する制御を行うとともに、
前記ろ液の流量計（４３）により測定されたろ液量から前記希釈可能なろ液量を減じて得られたろ液量を、前記ろ液蒸発用ライン（２３）の流量に設定し、ろ液蒸発用ライン（２３）内のろ液の塩素濃度が蒸発装置（４１）の蒸発管にスケーリングを発生させる濃度を超える場合には、ろ液蒸発用ライン（２３）からのろ液を産業廃棄用ろ液受槽（３８）に貯留し、
ろ液蒸発用ライン（２３）内のろ液の塩素濃度が蒸発装置（４１）の蒸発管にスケーリングを発生させる濃度以下である場合には、ボイラ蒸気供給ライン（２４）からのボイラ蒸気供給を開始し、ろ液蒸発用ライン（２３）の蒸気配管塩素濃度計（４４）の測定値により検出されるろ液蒸発用ライン（２３）内のろ液の塩素濃度に応じて、蒸発装置（４１）に供給される蒸気量を調整して、ろ液を産業廃棄用ろ液受槽（３８）に貯留することを特徴とする請求項６記載の排ガス処理方法。
【発明の詳細な説明】
【技術分野】
【０００１】
本発明はボイラなどの燃焼装置から排出される燃料の燃焼排ガスを浄化するための排ガス浄化処理装置と方法に係り、特に排ガス中の硫黄酸化物（以下ＳＯxと記す）、ばいじん、燃料中に含まれる微量成分を低減する湿式排煙脱硫装置から排出する排ガス中の不純物を吸収した吸収液の浄化処理に関する技術である。
【背景技術】
【０００２】
大気汚染防止のため、排ガス中の硫黄酸化物の除去装置として、湿式石灰石−石膏脱硫装置が広く実用化されている。この脱硫装置の系統を図６に示す。ボイラ１からの排ガスは脱硝装置２で窒素酸化物が除去され、空気予熱器３で冷却された後、ガス・ガスヒータ４でさらに熱回収され、電気集塵装置５でばい塵の一部が除去された後、誘引通風機６により吸収塔７に導入され、吸収塔７内に設置されたスプレヘッダを介して、該スプレヘッダに設置されたスプレノズルより噴霧される吸収剤の液滴と接触することにより、排ガス中のばいじんや塩化水素(ＨＣｌ)、フッ化水素(ＨＦ)等の酸性ガスとともに、排ガス中のＳＯｘが液滴表面で吸収される。ガスに同伴されるミストは吸収塔出口に設置されたミストエリミネータ８により除去され、清浄な排ガスは出口煙道を経て、ガス・ガスヒータ９で再加熱されてＢＵＦ１０により煙突１１より排出される。
【０００３】
ＳＯｘの吸収剤である石灰石２０は石灰石スラリ槽１６内で石灰石スラリとして石灰石スラリポンプ１５により吸収塔７内にＳＯｘ吸収量に応じて供給される。吸収塔７内の吸収液は吸収塔循環ポンプ１３により抜き出されて昇圧され、吸収塔７内のスプレヘッダに供給される。吸収塔７内で除去されたＳＯｘは吸収液中のカルシウムと反応し、中間生成物として亜硫酸カルシウム（重亜硫酸カルシウムを含む）になり、吸収塔７の液溜部に落下し、酸化用空気ブロワ１２より吸収塔７に供給される空気により、石膏に酸化されて最終生成物（石膏）となる。
【０００４】
このように吸収塔７内に空気を直接供給することにより、排ガス中のＳＯｘの吸収反応と、生成した亜硫酸カルシウムの酸化反応を同時に進行させることにより反応全体が促進され、脱硫性能が向上する。なお、その際、吸収塔７に供給する酸化空気は、酸化用撹拌機３２により微細化されることにより酸化空気の利用率を高めている。その後、吸収液スラリは抜出しポンプ１４により生成石膏量に応じて吸収塔７の液溜部から抜き出される。
【０００５】
吸収塔７の液溜部から抜き出された吸収液は石膏脱水機１７に送られ、粉体の石膏１８として回収される。一方、分離されたろ液１９は石灰石スラリ槽１６等の補給水として系内で再利用されるが、その一部は塩素等の濃縮を防ぐために排水として抜き出される。その際、排水処理設備４８を設置していても、排水中の溶解度の高い塩素は最終的に海・河川に放流している。
【０００６】
脱硫排水量を調整して脱硫排水中の塩素量を常に一定に保つ技術が記載された特許文献として特開平１−２３６９２３号公報があり、吸収塔内に導入する前の排ガス流量検出器及び排ガス塩素濃度検出器を排ガス流路に設けている。さらに吸収塔で排ガス中のＳＯｘを吸収して生成した吸収剤スラリ中の石膏を除去して脱硫排水とするシックナのオーバーフロー水タンクに水を補給する補給水ラインに補給水流量検出器及び補給水塩素濃度検出器を設けている。また、石灰石スラリ槽出口に吸収剤スラリ流量検出器を設け、石膏脱水機の前流側の脱硫排水流路に石膏スラリ流量検出器と排水流量検出器を設け、これらの検出器の信号によって脱硫排水中の塩素濃度を演算し、脱硫排水量を決定する演算器と、該演算器からの信号によって脱硫排水流量を調整することが記載されている。
【先行技術文献】
【特許文献】
【０００７】
【特許文献１】特開平１−２３６９２３号公報
【発明の概要】
【発明が解決しようとする課題】
【０００８】
上述の従来技術において、脱硫排水中の塩素量は、ボイラ排ガス中の塩素濃度や排水量に依存しており、排ガス中の塩素濃度の変動は、発電所における発電量の変動に追従するボイラ負荷変動及び燃料種類の切替時に変動するボイラ負荷変動に起因するが、任意の一定期間で見れば運転上は濃度変動幅が小さく、制御することが困難とされるため、補給水で希釈する方法が考えられるが、発電所によっては取水制限があり、補給水量を容易に増やせない問題がある。
【０００９】
本発明の課題は、昨今の脱硫率およびばいじん除去率に対する市場の高い要求に対応し、かつ取水制限にも適応し、制定が見込まれる新排水規制値を満足する排ガス浄化処理装置と方法を提供することである。
【課題を解決するための手段】
【００１０】
上記した本発明の課題は次の解決手段により解決される。
請求項１記載の発明は、ボイラ排ガス中の硫黄化合物と石灰石スラリを反応させる吸収塔（７）と、該吸収塔（７）内で副生成物として生成された石膏スラリを石膏とろ液とに固液分離する石膏脱水機（１７）と、溶解度の高い塩素成分を含むろ液を処理して海・河川等に放流する排水処理設備（４８）を有する排ガス処理装置において、
排水処理設備（４８）の出口部にろ液蒸発用ライン（２３）を接続し、該ろ液蒸発用ライン（２３）には上流側から下流側に向けて蒸発用ろ液を蓄える蒸発用ろ液槽（３６）とろ液を加熱する熱交換器（４０）とろ液から水分を蒸発させる蒸発装置（４１）と排出されるろ液を貯留する産業廃棄用ろ液受槽（３８）を順次設け、前記蒸発用ろ液槽（３６）の前流側のろ液蒸発用ライン（２３）から分岐したろ液放流用ライン（２２）を設け、該ろ液放流用ライン（２２）にはろ液放流箇所の前流側にろ液を希釈するろ液希釈槽（３７）を設け、該ろ液希釈槽（３７）に補給水を供給する補給水ライン（４６）を設け、ボイラ（１）で得られた蒸気を蒸発装置（４１）でのろ液加熱用蒸気として供給するボイラ蒸気供給ライン（２４）を設け、熱交換器（４０）における熱交換後のドレン水をろ液希釈槽（３７）に送るろ液希釈用ドレン水ライン（２６）を設け、排水処理設備（４８）の出口部のろ液蒸発用ライン（２３）と蒸発装置（４１）の出口部のろ液蒸発用ライン（２３）及びろ液希釈装置（３７）の出口部のろ液放流用ライン（２２）にはそれぞれ対応する塩素濃度計（５０、４４、４５）を設け、ろ液放流用ライン（２２）への分岐部と蒸発用ろ液槽（３６）の間のろ液蒸発用ライン（２３）と、ろ液希釈槽（３７）の前流側のろ液放流用ライン（２２）と、ボイラ蒸気供給ライン（２４）と、補給水ライン（４６）にそれぞれ対応する流量調節弁（５１、３３、３５、３４）を設け、ろ液蒸発用ライン（２３）と、ろ液希釈槽（３７）の前流側のろ液放流用ライン（２２）と、補給水ライン（４６）にそれぞれ対応する流量計（４３、４２、５２）を設け、ろ液蒸発用ライン（２３）の蒸気配管塩素濃度計（４４）の測定値に基づき該ろ液蒸発用ライン（２３）内のろ液の塩素濃度が蒸発装置（４１）の蒸発管にスケーリングを発生させる濃度を超える場合には、ろ液蒸発用ライン（２３）からのろ液を産業廃棄用ろ液受槽（３８）に貯留する制御を行い、ろ液蒸発用ライン（２３）の蒸気配管塩素濃度計（４４）の測定値に基づき該ろ液蒸発用ライン（２３）内のろ液の塩素濃度が蒸発装置（４１）の蒸発管にスケーリングを発生させる濃度以下である場合には、ろ液中の塩素濃度を放流可能な濃度にして放流する制御を行う制御装置（７０）を備えたことを特徴とする排ガス処理装置である。
【００１１】
請求項２記載の発明は、制御装置（７０）が、ろ液蒸発用ライン（２３）の蒸気配管塩素濃度計（５０）の測定値に基づき該ろ液蒸発用ライン（２３）内のろ液の塩素濃度が蒸発装置（４１）の蒸発管にスケーリングを発生させる濃度を超えると、ろ液放流用ライン（２２）のろ液放流用流量調節弁（３３）と補給水ライン（４６）の補給水流量調節弁（３４）とろ液蒸発用ライン（２３）のろ液蒸発用流量調節弁（５１）とをいずれも開き、蒸発用ろ液槽（３６）の後流側のろ液蒸発用ライン（２３）にあるろ液抜き出しポンプ（４９）を起動し、ろ液蒸発用ライン（２３）のろ液塩素濃度計（５０）とろ液流量計（４３）により算出されるろ液の必要希釈水量が発電所の法定の取水制限を超える場合、ろ液放流用ライン（２２）のろ液放流用流量調節弁（３３）と補給水ライン（４６）の補給水流量調節弁（３４）を閉としてろ液放流流量と補給水流量をゼロとし、ろ液蒸発用ライン（２３）からのろ液を産業廃棄用ろ液受槽（３８）に貯留する制御を行う制御構成を備えていることを特徴とする請求項１記載の排ガス処理装置である。
【００１２】
請求項３記載の発明は、制御装置（７０）が、ろ液蒸発用ライン（２３）の蒸気配管塩素濃度計（５０）の測定値に基づき該ろ液蒸発用ライン（２３）内のろ液の塩素濃度が蒸発装置（４１）の蒸発管にスケーリングを発生させる濃度を超える場合には、ろ液放流用ライン（２２）のろ液放流用流量調節弁（３３）と補給水ライン（４６）の補給水流量調節弁（３４）とろ液蒸発用ライン（２３）のろ液蒸発用流量調節弁（５１）とをいずれも開き、蒸発用ろ液槽（３６）の後流側のろ液蒸発用ライン（２３）にあるろ液抜き出しポンプ（４９）を起動し、ろ液蒸発用ライン（２３）のろ液塩素濃度計（５０）とろ液の流量計（４３）により算出されるろ液の必要希釈水量が発電所の法定の取水制限以下である場合、ろ液蒸発用ライン（２３）のろ液蒸発用流量調節弁（５１）を閉とし、ろ液抜き出しポンプ（４９）を停止し、ろ液放流用ライン（２２）のろ液放流用流量と補給水ライン（４６）の補給水流量をそれぞれ調節し、前記ろ液放流用ライン（２２）の放流ろ液塩素濃度計（４５）で得られる放流ろ液塩素濃度が放流ろ液の塩素濃度の規制値未満であれば、ろ液を放流し、放流ろ液塩素濃度計（４５）で得られる放流ろ液塩素濃度が排水塩素濃度の規制値以上であると、補給水ライン（４６）の補給水流量調節弁（３４）の開度調節により補給水をろ液希釈槽（３７）に供給して前記の放流ろ液塩素濃度計（４５）で得られる塩素濃度が放流ろ液の塩素濃度の規制値未満になるように調整した後、放流する制御を行う制御構成を備えていることを特徴とする請求項１記載の排ガス処理装置である。
【００１３】
請求項４記載の発明は、制御装置（７０）が、ろ液蒸発用ライン（２３）の蒸気配管塩素濃度計（５０）の測定値に基づき該ろ液蒸発用ライン（２３）内のろ液の塩素濃度が蒸発装置（４１）の蒸発管にスケーリングを発生させる濃度以下である場合には、ろ液放流用ライン（２２）のろ液放流用流量調節弁（３３）と補給水ライン（４６）の補給水流量調節弁（３４）とろ液蒸発用ライン（２３）のろ液蒸発用流量調節弁（５１）とをいずれも開き、蒸発用ろ液槽（３６）の後流側のろ液蒸発用ライン（２３）にあるろ液抜き出しポンプ（４９）を起動し、ろ液蒸発用ライン（２３）のろ液塩素濃度計（５０）とろ液の流量計（４３）により算出されるろ液の必要希釈水量が発電所の法定の取水制限以下である場合、ろ液蒸発用ライン（２３）のろ液蒸発用流量調節弁（５１）を閉とし、ろ液抜き出しポンプ（４９）を停止し、前記ろ液放流用ライン（２２）の放流ろ液塩素濃度計（４５）で得られる放流ろ液塩素濃度が排水塩素濃度の規制値以上であると、補給水ライン（４６）の補給水流量調節弁（３４）の開度調節により補給水をろ液希釈槽（３７）に供給して前記の放流ろ液塩素濃度計（４５）で得られる塩素濃度が放流ろ液の塩素濃度の規制値未満になるように調整した後、放流する制御を行う制御構成を備えていることを特徴とする請求項１記載の排ガス処理装置である。
【００１４】
請求項５記載の発明は、制御装置（７０）が、ろ液蒸発用ライン（２３）の蒸気配管塩素濃度計（５０）の測定値に基づき該ろ液蒸発用ライン（２３）内のろ液の塩素濃度が蒸発装置（４１）の蒸発管にスケーリングを発生させる濃度以下である場合には、ろ液放流用ライン（２２）のろ液放流用流量調節弁（３３）と補給水ライン（４６）の補給水流量調節弁（３４）とろ液蒸発用ライン（２３）のろ液蒸発用流量調節弁（５１）とをいずれも開き、蒸発用ろ液槽（３６）の後流側のろ液蒸発用ライン（２３）にあるろ液抜き出しポンプ（４９）を起動し、ろ液蒸発用ライン（２３）のろ液塩素濃度計（５０）とろ液の流量計（４３）により算出されるろ液の必要希釈水量が発電所の法定の取水制限を超える場合、発電所の法定の取水制限を超えない希釈水量により希釈可能なろ液量を算出し、前記ろ液放流用流量調節弁（３３）の流量を該希釈可能なろ液量に設定し、前記ろ液放流用ライン（２２）の放流ろ液塩素濃度計（４５）で得られる放流ろ液塩素濃度が排水塩素濃度の規制値以上であると、補給水ライン（４６）の補給水流量調節弁（３４）の開度調節により補給水をろ液希釈槽（３７）に供給して前記の放流ろ液塩素濃度計（４５）で得られる塩素濃度が放流ろ液の塩素濃度の規制値未満になるように調整した後、放流する制御を行うとともに、前記ろ液の流量計（４３）により測定されたろ液量から前記希釈可能なろ液を減じて得られたろ液量を、前記ろ液蒸発用流量調節弁（５１）の流量に設定し、ボイラ蒸気供給ライン（２４）のボイラ供給蒸気流量調整弁（３５）を開き、ろ液蒸発用ライン（２３）の蒸気配管塩素濃度計（４４）の測定値により検出されるろ液蒸発用ライン（２３）内のろ液の塩素濃度に応じて、ボイラ供給蒸気流量調整弁（３５）により蒸発装置（４１）に供給される蒸気量を調整して、ろ液を産業廃棄用ろ液受槽（３８）に貯留する制御を行う制御構成を備えていることを特徴とする請求項１記載の排ガス処理装置である。
【００１５】
請求項６記載の発明は、請求項１記載の排ガス処理装置を用いて、吸収塔（１）内に導入したボイラ排ガスと石灰石スラリを反応させて排ガス中の硫黄酸化物を亜硫酸塩とした後に酸化させて石膏を生成させ、次いで石膏脱水機（１７）により副生成物として生成された石膏スラリを石膏とろ液とに固液分離し、該ろ液を排水処理設備（４８）により処理した後の、溶解度の高い塩素を含むろ液を海・河川等に放流する排ガス処理方法において、
前記排水処理設備（４８）により排水処理されたろ液の塩素濃度に基づき加熱、蒸発させるろ液と補給水により希釈させるろ液に分流し、前記加熱、蒸発させて濃縮したろ液の塩素濃度を測定し、該塩素濃度が蒸発装置（４１）の蒸発管にスケーリングを発生させる濃度を超える場合には産業廃棄用ろ液としてろ液受槽（３８）に受けて貯留し、前記塩素濃度が規制値以下であれば、ろ液中の塩素濃度を放流可能な濃度にして放流することを特徴とする排ガス処理方法である。
【００１６】
請求項７記載の発明は、ろ液蒸発用ライン（２３）のろ液の塩素濃度が蒸発装置（４１）の蒸発管にスケーリングを発生させる濃度を超え、ろ液蒸発用ライン（２３）のろ液塩素濃度計（５０）とろ液の流量計（４３）により算出されるろ液の必要希釈水量が発電所の法定の取水制限を超える場合には、ろ液放流用ライン（２２）のろ液放流流量と補給水流量をゼロとし、ろ液蒸発用ライン（２３）からのろ液を産業廃棄用ろ液受槽（３８）に貯留することを特徴とする請求項６記載の排ガス処理方法である。
【００１７】
請求項８記載の発明は、ろ液蒸発用ライン（２３）のろ液の塩素濃度が蒸発装置（４１）の蒸発管にスケーリングを発生させる濃度を超え、ろ液蒸発用ライン（２３）のろ液塩素濃度計（５０）とろ液の流量計（４３）により算出されるろ液の必要希釈水量が発電所の法定の取水制限以下である場合には、ろ液蒸発用ライン（２３）を閉じ、ろ液放流用ライン（２２）のろ液放流用流量と補給水ライン（４６）の補給水流量をそれぞれ調節し、ろ液希釈槽（３７）の後流のろ液放流用ライン（２２）の放流ろ液塩素濃度が放流ろ液の塩素濃度の規制値未満であれば、ろ液を放流し、前記ろ液放流用ライン（２２）の放流ろ液塩素濃度が放流ろ液の塩素濃度の規制値以上であると、補給水流量調節弁（３４）の開度調節により補給水ライン（４６）の補給水を調整してろ液希釈槽（３７）に供給して前記の放流ろ液塩素濃度が放流ろ液の塩素濃度の規制値未満になるように調整した後、放流することを特徴とする請求項６記載の排ガス処理方法である。
【００１８】
請求項９記載の発明は、ろ液蒸発用ライン（２３）内のろ液の塩素濃度が蒸発装置（４１）の蒸発管にスケーリングを発生させる濃度以下であり、ろ液蒸発用ライン（２３）のろ液塩素濃度計（５０）とろ液の流量計（４３）により算出されるろ液の必要希釈水量が発電所の法定の取水制限以下である場合、ろ液蒸発用ライン（２３）を閉じ、ろ液放流用ライン（２２）のろ液放流用流量と補給水ライン（４６）の補給水流量をそれぞれ調節し、ろ液希釈槽（３７）の後流のろ液放流用ライン（２２）の放流ろ液塩素濃度が放流ろ液の塩素濃度の規制値未満であれば、ろ液を放流し、前記ろ液放流用ライン（２２）の放流ろ液塩素濃度が放流ろ液の塩素濃度の規制値以上であると、補給水流量調節弁（３４）の開度調節により補給水ライン（４６）の補給水を調整してろ液希釈槽（３７）に供給して前記の放流ろ液塩素濃度が放流ろ液の塩素濃度の規制値未満になるように調整した後、放流することを特徴とする請求項６記載の排ガス処理方法である。
【００１９】
請求項１０記載の発明は、ろ液蒸発用ライン（２３）内のろ液の塩素濃度が蒸発装置（４１）の蒸発管にスケーリングを発生させる濃度以下であり、ろ液蒸発用ライン（２３）のろ液塩素濃度計（５０）とろ液の流量計（４３）により算出されるろ液の必要希釈水量が発電所の法定の取水制限を超える場合、発電所の法定の取水制限を超えない希釈水量により希釈可能なろ液量を算出し、ろ液放流用ライン（２２）の流量を該希釈可能なろ液量に設定し、補給水ライン（４６）の補給水流量を調節し、ろ液希釈槽（３７）の後流のろ液放流用ライン（２２）の放流ろ液塩素濃度が放流ろ液の塩素濃度の規制値未満であれば、ろ液を放流し、前記ろ液放流用ライン（２２）の放流ろ液塩素濃度が放流ろ液の塩素濃度の規制値以上であると、補給水流量調節弁（３４）の開度調節により補給水ライン（４６）の補給水を調整してろ液希釈槽（３７）に供給して前記の放流ろ液塩素濃度が放流ろ液の塩素濃度の規制値未満になるように調整した後、放流する制御を行うとともに、前記ろ液の流量計（４３）により測定されたろ液量から前記希釈可能なろ液量を減じて得られたろ液量を、前記ろ液蒸発用ライン（２３）の流量に設定し、ボイラ蒸気供給ライン（２４）からのボイラ蒸気供給を開始し、ろ液蒸発用ライン（２３）の蒸気配管塩素濃度計（４４）の測定値により検出されるろ液蒸発用ライン（２３）内のろ液の塩素濃度に応じて、蒸発装置（４１）に供給される蒸気量を調整して、ろ液を産業廃棄用ろ液受槽（３８）に貯留することを特徴とする請求項６記載の排ガス処理方法である。
【００２０】
請求項１１記載の発明は、制御装置（７０）が、ろ液放流用ライン（２２）のろ液放流用流量調節弁（３３）と補給水ライン（４６）の補給水流量調節弁（３４）とろ液蒸発用ライン（２３）のろ液蒸発用流量調節弁（５１）とをいずれも開き、蒸発用ろ液槽（３６）の後流側のろ液蒸発用ライン（２３）にあるろ液抜き出しポンプ（４９）を起動し、ろ液蒸発用ライン（２３）のろ液塩素濃度計（５０）とろ液の流量計（４３）により算出されるろ液の必要希釈水量が発電所の法定の取水制限を超える場合、発電所の法定の取水制限を超えない希釈水量により希釈可能なろ液量を算出し、前記ろ液放流用流量調節弁（３３）の流量を該希釈可能なろ液量に設定し、前記ろ液放流用ライン（２２）の放流ろ液塩素濃度計（４５）で得られる放流ろ液塩素濃度が排水塩素濃度の規制値以上であると、補給水ライン（４６）の補給水流量調節弁（３４）の開度調節により補給水をろ液希釈槽（３７）に供給して前記の放流ろ液塩素濃度計（４５）で得られる塩素濃度が放流ろ液の塩素濃度の規制値未満になるように調整した後、放流する制御を行うとともに、前記ろ液の流量計（４３）により測定されたろ液量から前記希釈可能なろ液量を減じて得られたろ液量を、前記ろ液蒸発用流量調節弁（５１）の流量に設定し、ろ液蒸発用ライン（２３）の蒸気配管塩素濃度計（５０）の測定値に基づき該ろ液蒸発用ライン（２３）内のろ液の塩素濃度が蒸発装置（４１）の蒸発管にスケーリングを発生させる濃度を超える場合には、ろ液蒸発用ライン（２３）からのろ液を産業廃棄用ろ液受槽（３８）に貯留する制御を行い、ろ液蒸発用ライン（２３）内のろ液の塩素濃度が蒸発装置（４１）の蒸発管にスケーリングを発生させる濃度以下である場合には、ボイラ蒸気供給ライン（２４）のボイラ供給蒸気流量調整弁（３５）を開き、ろ液蒸発用ライン（２３）の蒸気配管塩素濃度計（４４）の測定値により検出されるろ液蒸発用ライン（２３）内のろ液の塩素濃度に応じて、ボイラ供給蒸気流量調整弁（３５）により蒸発装置（４１）に供給される蒸気量を調整して、ろ液を産業廃棄用ろ液受槽（３８）に貯留する制御を行う制御構成を備えていることを特徴とする請求項１記載の排ガス処理装置である。
【００２１】
請求項１２記載の発明は、ろ液蒸発用ライン（２３）のろ液塩素濃度計（５０）とろ液の流量計（４３）により算出されるろ液の必要希釈水量が発電所の法定の取水制限を超える場合、発電所の法定の取水制限を超えない希釈水量により希釈可能なろ液量を算出し、ろ液放流用ライン（２２）の流量を該希釈可能なろ液量に設定し、該希釈可能なろ液量に対応する補給水ライン（４６）の補給水流量を調節し、ろ液希釈槽（３７）の後流のろ液放流用ライン（２２）の放流ろ液塩素濃度が放流ろ液の塩素濃度の規制値未満であれば、ろ液を放流し、前記ろ液放流用ライン（２２）の放流ろ液塩素濃度が放流ろ液の塩素濃度の規制値以上であると、補給水流量調節弁（３４）の開度調節により補給水ライン（４６）の補給水を調整してろ液希釈槽（３７）に供給して前記の放流ろ液塩素濃度が放流ろ液の塩素濃度の規制値未満になるように調整した後、放流する制御を行うとともに、前記ろ液の流量計（４３）により測定されたろ液量から前記希釈可能なろ液量を減じて得られたろ液量を、前記ろ液蒸発用ライン（２３）の流量に設定し、ろ液蒸発用ライン（２３）内のろ液の塩素濃度が蒸発装置（４１）の蒸発管にスケーリングを発生させる濃度を超える場合には、ろ液蒸発用ライン（２３）からのろ液を産業廃棄用ろ液受槽（３８）に貯留し、ろ液蒸発用ライン（２３）内のろ液の塩素濃度が蒸発装置（４１）の蒸発管にスケーリングを発生させる濃度以下である場合には、ボイラ蒸気供給ライン（２４）からのボイラ蒸気供給を開始し、ろ液蒸発用ライン（２３）の蒸気配管塩素濃度計（４４）の測定値により検出されるろ液蒸発用ライン（２３）内のろ液の塩素濃度に応じて、蒸発装置（４１）に供給される蒸気量を調整して、ろ液を産業廃棄用ろ液受槽（３８）に貯留することを特徴とする請求項６記載の排ガス処理方法である。
【発明の効果】
【００２２】
請求項１、６記載の発明によれば、排ガス浄化処理用の排水処理設備（４８）の出口のろ液流路に設けられたろ液流量計及びろ液塩素濃度計から得られる測定値に基づき、ろ液蒸発用ライン（２３）からのろ液を産業廃棄用ろ液受槽（３８）に貯留すること及び／又はろ液中の塩素濃度を補給水を利用して放流可能な濃度にして海・河川等に放流することができるので、排ガス浄化処理済みのろ液の処理を効果的に行うことができる。
【００２３】
請求項２、７記載の発明によれば、請求項１，６記載の発明の効果に加えて、ろ液蒸発用ライン（２３）内のろ液の塩素濃度が蒸発装置（４１）の蒸発管にスケーリングを発生させる濃度を超え、ろ液蒸発用ライン（２３）のろ液中の塩素濃度とろ液流量により求められる必要希釈水量が発電所の法定の取水制限を超える場合には、ろ液蒸発用ライン（２３）からのろ液を全て産業廃棄用ろ液受槽（３８）に貯留するので、ろ液を放流しないで、貯留することができる。従って、ろ液を希釈するために必要な希釈水量が確保できない場合でも、ろ液を産業廃棄物処理のみによる処理の選択が可能である。
【００２４】
請求項３、８記載の発明によれば、請求項１，６記載の発明の効果に加えて、ろ液蒸発用ライン（２３）のろ液の塩素濃度が蒸発装置（４１）の蒸発管にスケーリングを発生させる濃度を超え、ろ液蒸発用ライン（２３）のろ液塩素濃度計（５０）とろ液の流量計（４３）により算出されるろ液の必要希釈水量が発電所の法定の取水制限以下である場合には、ろ液放流用ライン（２２）のろ液放流用流量と補給水ライン（４６）の補給水流量だけをそれぞれ調節してろ液放流用ライン（２２）からろ液を放流できるようにするので排ガス処理したろ液を容易に放流できる。従って、ろ液の塩素濃度が蒸発管にスケーリングを発生させる濃度を超えていても、ろ液を希釈するために必要な希釈水量が確保できれば、希釈処理のみによる処理の選択が可能である。
【００２５】
請求項４、９記載の発明によれば、請求項１，６記載の発明の効果に加えて、ろ液蒸発用ライン（２３）内のろ液の塩素濃度が蒸発装置（４１）の蒸発管にスケーリングを発生させる濃度以下であり、ろ液蒸発用ライン（２３）のろ液塩素濃度計（５０）とろ液の流量計（４３）により算出されるろ液の必要希釈水量が発電所の法定の取水制限以下である場合には、ろ液蒸発用ライン（２３）を閉じ、ろ液放流用ライン（２２）のろ液放流用流量と補給水ライン（４６）の補給水流量をそれぞれ調節し、ろ液放流用ライン（２２）の放流ろ液塩素濃度が放流ろ液の塩素濃度の規制値未満であれば、ろ液を放流し、ろ液放流用ライン（２２）の放流ろ液塩素濃度が放流ろ液の塩素濃度の規制値以上であると、補給水流量調節弁（３４）の開度調節により補給水ライン（４６）の補給水を調整してろ液希釈槽（３７）に供給して前記の放流ろ液塩素濃度が放流ろ液の塩素濃度の規制値未満になるように調整した後、放流するので、排ガス処理したろ液の放流を安全に行うことができる。従って、ろ液の塩素濃度が蒸発管にスケーリングを発生させる濃度以下であり、ろ液を希釈するために必要な希釈水量が確保できれば、希釈処理と産業廃棄物処理の両者による処理の選択が可能である。
【００２６】
請求項５、１０記載の発明によれば、請求項１，６記載の発明の効果に加えて、ろ液蒸発用ライン（２３）内のろ液の塩素濃度が蒸発装置（４１）の蒸発管にスケーリングを発生させる濃度以下であり、ろ液蒸発用ライン（２３）のろ液の必要希釈水量が発電所の法定の取水制限を超える場合には、発電所の法定の取水制限を超えない希釈水量により希釈可能なろ液量を算出し、ろ液放流用ライン（２２）の流量を前記希釈可能なろ液量に設定して補給水流量を調節し、ろ液放流用ライン（２２）の放流ろ液塩素濃度が放流ろ液の塩素濃度の規制値未満であれば、ろ液を放流し、ろ液放流用ライン（２２）の放流ろ液塩素濃度が放流ろ液の塩素濃度の規制値以上であると、補給水ライン（４６）からの補給水供給量により放流ろ液の塩素濃度の規制値未満になるように調整した後、放流し、ろ液流量計（４３）によるろ液流量から希釈可能なろ液を減じて得られたろ液量を、ろ液蒸発用ライン（２３）の流量に設定し、ろ液蒸発用ライン（２３）内のろ液の塩素濃度に応じて蒸発装置（４１）に供給される蒸気量を調整して、ろ液を産業廃棄用ろ液受槽（３８）に貯留するので、前記ろ液受槽（３８）に貯留するろ液量が必要以上に増えないだけでなく、ろ液放流用ライン（２２）から塩素濃度の低いろ液は容易に放流できるようになる。従って、ろ液の塩素濃度が蒸発管にスケーリングを発生させる濃度以下であり、ろ液を希釈するために必要な希釈水量が確保できれば、希釈処理と産業廃棄物処理の両者による処理の選択が可能である。
【００２７】
請求項１１、１２記載の発明によれば、請求項１，６記載の発明の効果に加えて、ろ液蒸発用ライン（２３）のろ液の必要希釈水量が発電所の法定の取水制限を超える場合、発電所の法定の取水制限を超えない希釈水量によりろ液放流用ライン（２２）の放流ろ液流量に設定し、該放流ろ液中の塩素濃度が規制値未満であれば、ろ液を放流し、前記ろ液放流用ライン（２２）の放流ろ液の塩素濃度が規制値以上であると、補給水ライン（４６）の補給水の調整により放流ろ液の塩素濃度が規制値未満になるように調整した後、放流し、ろ液流量計（４３）により測定されたろ液量のろ液に対して必要な希釈水量が発電所の法定の取水制限を超える場合は、ろ液流量計（４３）により測定されたろ液量から前記希釈可能なろ液を減じて得られたろ液量を、ろ液蒸発用ライン（２３）の流量に設定し、ろ液蒸発用ライン（２３）内のろ液の塩素濃度が蒸発装置（４１）の蒸発管にスケーリングを発生させる濃度を超える場合には、ろ液蒸発用ライン（２３）からのろ液を産業廃棄用ろ液受槽（３８）に貯留するので前記ろ液受槽（３８）に貯留するろ液量が必要以上に増えないだけでなく、ろ液蒸発用ライン（２３）内のろ液の塩素濃度が蒸発装置（４１）の蒸発管にスケーリングを発生させる濃度以下である場合には、ボイラ蒸気供給ライン（２４）からのボイラ蒸気供給を開始し、ろ液蒸発用ライン（２３）内の蒸気配管塩素濃度計（４４）によるろ液の塩素濃度に応じて、蒸発装置（４１）に供給される蒸気量を調整して、ろ液を産業廃棄用ろ液受槽（３８）に貯留するので、ろ液放流用ライン（２２）からのろ液の放流とろ液蒸発用ライン（２３）からのろ液を産業廃棄用ろ液受槽（３８）に貯留することができる。従って、ろ液の塩素濃度が蒸発管にスケーリングを発生させる濃度を超えていても、産業廃棄物処理するろ液量を低減できる処理の選択が可能である。
【図面の簡単な説明】
【００２８】
【図１】本発明の一実施例の排ガス処理装置を示す系統図である。
【図２】本発明による実施例１の制御フローチャートの一部である。
【図３】本発明による実施例１の制御フローチャートの他部である。
【図４】本発明による実施例２の制御フローチャートの一部である。
【図５】本発明による実施例２の制御フローチャートの他部である。
【図６】従来技術における湿式石灰石−石膏法脱硫装置の概略フローを示した図である。
【発明を実施するための形態】
【００２９】
本発明の実施例を図面とともに説明する。  
図１には本発明による実施例の湿式脱硫機構を示す。 
本実施例において、湿式脱硫機構のシステム構成は従来の図６に示す湿式石灰石−石膏脱硫装置の排水処理設備４８の後流側に、ろ液流量計４３及びろ液塩素濃度計５０を設けた第１ろ液蒸発用ライン２３ａが接続し、該第１ろ液蒸発用ライン２３ａは中継槽として蒸発用ろ液槽３６に接続している。
【００３０】
第１ろ液蒸発用ライン２３ａから分岐して、ろ液放流用流量調節弁３３とろ液放流流量計４２を備えた第１ろ液放流用ライン２２ａが設けられ、ろ液希釈槽３７に放流用ろ液を供給する。  
【００３１】
第１ろ液放流用ライン２２ａの分岐部より後流側の第１ろ液蒸発用ライン２３ａにはろ液蒸発用流量調節弁５１が設けられている。
また、第１放流ライン２２ａにはろ液放流用流量調節弁３３と放流用ろ液流量計４２を備えており、第１ろ液放流用ライン２２ａはろ液希釈槽３７に接続し、ろ液希釈槽３７には、後述する熱交換器４０からのろ液希釈用ドレン水と補給水がそれぞれろ液希釈用ドレン水ライン２６と補給水ライン４６から供給され、これら補給水などによりろ液希釈槽３７内で希釈されたろ液は、放流ろ液塩素濃度計４５が設けられた第２ろ液放流用ライン２２ｂから放流される。
【００３２】
蒸発用ろ液槽３６と熱交換器４０を結ぶ第２ろ液蒸発用ライン２３ｂにはろ液抜出しポンプ４９及びろ液蒸発用流量計５３が順次設けられ、熱交換器４０の後流側の第２ろ液蒸発用ライン２３ｂには蒸発装置４１が接続し、蒸発装置４１の後流側の第２ろ液蒸発用ライン２３ｂには蒸気配管塩素濃度計４４と気液分離機３９が順次設けられ、気液分離機３９により分級したアンダーフローの産廃用ろ液４７は産廃用ろ液受槽３８に貯留し、オーバーフローの蒸気は蒸発装置４１の前流側に設けられた熱交換器４０により無塩素のろ液希釈用ドレン水を発生させ、このドレン水はドレン水ライン２６を介してろ液希釈槽３７に送られる。
【００３３】
また、蒸発装置４１にはボイラ１との間でボイラ供給蒸気ライン２４と戻り蒸気ライン２５を並列接続し、ボイラ１からの蒸気を蒸発装置４１に供給すると共にボイラ１に戻す蒸気循環ラインを構成している。また、ボイラ供給蒸気ライン２４に設けた流量調節弁３５により蒸気循環量が調節される。
【００３４】
図１に示す排水中の塩素濃度を希釈させて放流する系統構成の制御フローチャートについては、図２〜図５に示す。  
図２、図３には実施例１の制御フローチャートを示す。また図４，図５には実施例２の制御フローチャートを示す。
【００３５】
実施例１は、ろ液蒸発用ライン２３の蒸気配管塩素濃度計４４の測定値に基づき該ろ液蒸発用ライン２３内のろ液の塩素濃度が蒸発装置４１の蒸発管にスケーリングを発生させる濃度以上である場合に、ろ液放流用ライン２２のろ液を希釈するために供給する補給水が予め規定された取水制限値以下であれば、ろ液を全量希釈後に放流し、また、ろ液放流用ライン２２のろ液を希釈するために供給する補給水が前記取水制限値を越える場合には、ろ液放流用ライン２２のろ液中の塩素濃度に応じてろ液の取水制限値に相当するろ液量とそれに対応する希釈水量を求め、前記ろ液の取水制限値に相当するろ液量の残りのろ液部分を濃縮後、全量を放流させないで産業廃棄用ろ液受槽３８に貯留する、あるいは、ろ液放流用ライン２２の補給水ライン４６の流量をゼロとし、ろ液放流用ライン２２のろ液を全量を放流させないで産業廃棄用ろ液受槽３８に貯留することを特徴とする排ガス処理方法である。
【００３６】
また、実施例２は、ろ液放流用ライン２２のろ液の塩素濃度によってろ液を希釈するための希釈水量が取水制限値以下であれば、補給水で希釈して放流し、前記ろ液放流用ライン２２のろ液の塩素濃度が、放流するに足る塩素濃度以下になる希釈水量が取水制限値を越える場合は、前記ろ液中の塩素濃度に応じてろ液の取水制限値に相当する希釈水量に対応するろ液流量を求めて、該得られたろ液流量は補給水で希釈した後に放流し、残りのろ液部分については、ろ液中の塩素濃度が蒸発管スケーリング濃度以上の場合は、前記残りのろ液部分の全量を濃縮しないで産業廃棄用ろ液受槽３８に貯留し、ろ液中の塩素濃度が蒸発管スケーリング濃度未満の場合は濃縮した後に産業廃棄用ろ液受槽３８に貯留する排ガス処理方法である。
【００３７】
実施例１の場合は、ろ液蒸発用ラインからのろ液を産業廃棄用ろ液受槽に貯留すること及び／又はろ液中の塩素濃度を補給水を利用して放流可能な濃度にして海・河川等に放流することができるので、排ガス浄化処理済みのろ液の処理を効果的に行うことができる利点がある。
【００３８】
また、実施例２の場合は、実施例１に比較し、ろ液塩素濃度が蒸発管スケーリングを発生させる濃度を超える場合でも希釈に必要な水量が取水制限を超えない範囲で希釈処理可能なものであるため、産業廃棄物として処理される量を低減できる利点がある。
【実施例１】
【００３９】
本実施例の制御フローチャートを図２と図３に示す。ここで以下に述べるろ液流量計４３及びろ液塩素濃度計５０などの計量手段による測定値は制御装置７０に入力され、該制御装置７０で演算された結果に基づき各流路に設けられた流量調節弁の開閉制御を行う構成である。
【００４０】
まず、ステップ１０１において、各規制・制限値として希釈水の取水制限値、排水（ろ液）中の塩素濃度規制値、ろ液蒸発後の残留ろ液中の塩素濃度を制御装置７０に入力しておく。
【００４１】
排水処理設備４８のろ液出口部に接続した第１ろ液蒸発用ライン２３ａにろ液が流入すると、ステップ１０２でろ液放流用流量調節弁３３と補給水流量調節弁３４を開とし、同じくろ液塩素濃度計５０により計測されたろ液塩素濃度に基づきろ液蒸発用流量調節弁５１を開とし、ステップ１０３において第２ろ液蒸発用ライン２３ｂのろ液抜出しポンプ４９を起動する。
【００４２】
その後、ステップ１０４で同じく第１ろ液蒸発用ライン２３ａのろ液の塩素濃度計５０の測定値（希釈前ろ液放流（排水）塩素濃度）を入力し、ステップ１０５で該塩素濃度計５０の計測値と蒸発装置４１の蒸発管にスケーリングを発生させる塩素濃度（予め設定された塩素濃度）を比較し、塩素濃度計５０の計測値が蒸発装置４１の蒸発管にスケーリングを発生させる設定塩素濃度未満であれば、ステップ１０６で第１ろ液蒸発用ライン２３ａのろ液流量計４３の測定値から第１ろ液蒸発用ライン２３ａのろ液流量を得る。
【００４３】
なお、ここで図２から図５に示すフローチャートには、例えば「ろ液塩素濃度計５０により計測されたろ液塩素濃度」、「ろ液流量計４３に基づくろ液流量」を単に「ろ液塩素濃度５０」、「ろ液流量４３」などとそれぞれ記載する場合がある。
【００４４】
次いでステップ１０７では、ステップ１０６で得た第１ろ液蒸発用ライン２３ａのろ液流量計４３に基づくろ液流量に基づき排水塩素濃度規制値以下となるようにろ液を希釈するための必要希釈水（補給水）量を算出する。
【００４５】
次にステップ１０８において、前記必要希釈水（補給水）量と前記予め設定されている取水制限値を比較し、必要希釈水（補給水）量が取水制限値を超える水量となった場合、ステップ１０９で取水制限値以下となる希釈（補給）水量を新たに設定し、ステップ１１０で前記新たに設定された希釈（補給）水量により希釈可能なろ液量を算出する。
【００４６】
ステップ１１１でろ液流量計４３で測定されたろ液流量と前記算出された希釈処理可能なろ液量を比較し、ろ液流量計４３で測定されたろ液流量が前記算出された希釈可能なろ液量よりも少ない場合には、後述するＳ１２４〜Ｓ１２７のステップに移り、ろ液が放流可能であれば、放流する。
【００４７】
また、ステップ１１１でろ液流量計４３で測定されたろ液流量が前記算出された希釈可能なろ液量よりも多い場合には、ステップ１１２のろ液蒸発用流量ＦＶ（第１ろ液蒸発用ライン２３ａのろ液流量−前記希釈処理可能なろ液量）の設定とステップ１１９でろ液放流用流量調節弁３３の流量を希釈可能なろ液流量を設定する。
【００４８】
ステップ１１２では、ろ液流量計４３で測定されたろ液量からステップ１１０で先に算出された希釈可能なろ液量を減じて算出した流量をろ液蒸発用流量調節弁５１のろ液蒸発用流量として設定する。
【００４９】
一方、ステップ１１９でろ液放流用ライン２２ａの流量(ろ液放流用流量調節弁３３の調節でろ液放流流量（＝希釈可能なろ液放流流量）が設定されると、ステップ１２０でろ液放流用流量調節弁３３により流量調整されたろ液はろ液放流用ライン２２ａを介してろ液希釈槽３７に流入し、ステップ１２６において、ろ液放流塩素濃度計４５により測定された塩素濃度が排水塩素濃度規制値以下となるように、ステップ１２５で補給水流量調節弁３４の流量が調整され、ステップ１２７で補給水により希釈されたろ液がろ液希釈槽３７から放流される。
【００５０】
ステップ１０９〜ステップ１１１を具体的に考えると、例えば、ろ液量計４３で計測されるろ液流量が１５ｍ３／ｈｒであったとして、Ｓ１０９において取水制限値以下となる希釈水量を１００ｍ３／ｈｒと設定すると、Ｓ１１０において、この希釈水量１００ｍ３／ｈｒで希釈可能なろ液量が１０ｍ３／ｈｒと算出され、Ｓ１１１におけるろ液流量１５ｍ３／ｈｒは希釈可能なろ液量１０ｍ３／ｈｒよりも多いので、Ｓ１１９ではろ液放流用流量調節弁３３の流量が１０ｍ３／ｈｒに設定され、同時に、Ｓ１１２ではろ液蒸発用流量調節弁５１の流量が１５−１０＝５ｍ３／ｈｒに設定される。
【００５１】
すなわち、ろ液放流用流量調節弁３３とろ液蒸発用流量調節弁５１の流量決定はＳ１０９〜Ｓ１１１のステップにおいて設定、算出された値に基づいて行うことを制御装置７０が自動的に実施する。
【００５２】
次いで、ステップ１１３において、ろ液蒸発用流量調節弁５１により流量調整されたろ液は蒸発用ろ液槽３６に流入し、第２ろ液蒸発用ライン２３ｂを介して熱交換器４０及び蒸発装置４１に供給される。ろ液蒸発用流量調節弁５１により第１ろ液蒸発用ライン２３ａの流量調整が行われると同時に、ステップ１１４で蒸発装置４１にボイラ１から蒸気を供給するためのボイラ供給蒸気流量調節弁３５を開とし、ステップ１１５で蒸発管４１の塩素濃度計４４の測定値とろ液蒸発後のろ液塩素濃度制限値から必要蒸気量を算出し、ステップ１１７で第２ろ液放流用ライン２２ｂの蒸気配管塩素濃度計４４により測定された塩素濃度がろ液蒸発後塩素濃度以上となるように、ステップ１１６でボイラ供給蒸気量流量調節弁３５が調整され、ステップ１１８で蒸気配管塩素濃度計４４により測定された塩素濃度がろ液蒸発後塩素濃度より濃いと産業廃棄物として回収する。また、蒸気配管塩素濃度計４４により測定された塩素濃度がろ液蒸発後塩素濃度より薄いとステップ１１６に戻してボイラ供給蒸気量流量調節弁３５の調整で、ろ液を濃縮する。
【００５３】
また、ステップ１０５において、第１ろ液蒸発用ライン２３ａの塩素濃度計５０の計測値が蒸発装置４１の蒸発管にスケーリングが発生する濃度以上であり、ステップ１０６〜１０８と同様のステップ１２１〜１２３により必要希釈（補給）水量が取水制限値以下となった場合には、ステップ１０２で開となっていたろ液蒸発用流量調節弁５１を閉とし、ステップ１０３で起動されていたろ液抜出しポンプ４９を停止する動作をステップ１２４で行う。
【００５４】
第１ろ液放流用ライン２２ａの開となっているろ液放流用流量調節弁３３を介して流れるろ液は、ろ液希釈槽３７に流入し、ステップ１２６にて、ろ液放流用ライン２２ｂのろ液放流塩素濃度計４５により測定された塩素濃度が排水塩素濃度規制値以下となるように、ステップ１２５で補給水流量調節弁３４の流量を調整し、ステップ１２７にて補給水により希釈されたろ液がろ液希釈槽３７から放流される。
【００５５】
なお、ステップ１０９〜１１１で取水制限値以下となるろ液量を算出し、そのろ液量がろ液流量計４３により測定されたろ液流量以上であった場合にも、ステップ１２４〜１２７にて、塩素濃度計５０の計測値が蒸発装置４１の蒸発管にスケーリングが発生する濃度未満であったが、必要希釈（補給）水量が取水制限値以下となった場合と同様の制御が行われる。
【００５６】
また、ステップ１０５において、ろ液塩素濃度計５０の計測値が蒸発装置４１の蒸発管にスケーリングが発生する濃度以上であれば、制御装置７０にステップ１０１で入力した      第２ろ液放流用ライン２２ｂの排水（ろ液放流）塩素濃度規制値が設定される。
【００５７】
次に、ステップ１２２において、放流用ろ液流量計４２の計測値に基づき第１ろ液放流用ライン２２ａの放流用ろ液流量を得て、また、ステップ１２２で第１ろ液蒸発用ライン２３ａのろ液塩素濃度計５０に基づく希釈前ろ液排水塩素濃度、同じく第１ろ液蒸発用ライン２３ａのろ液流量計４３に基づくろ液流量を算出し、排水塩素濃度規制値以下となるようにろ液を希釈するための必要希釈水量を算出し、ステップ１２３において必要希釈（補給）水量が取水制限値以下となった場合では、ステップ１２４で開となっていた第１ろ液蒸発用ライン２３ａのろ液蒸発用流量調節弁５１を閉とし、起動されていたろ液抜出しポンプ４９を停止させる。
【００５８】
次いで、ステップ１２６でろ液放流塩素濃度計４５により測定された塩素濃度が排水塩素濃度規制値以下となるように、ステップ１２５にて補給水流量調節弁３４の流量を調整し、ステップ１２７にて補給水により希釈されたろ液がろ液希釈槽３７から放流される。
【００５９】
また、ステップ１２３にて必要希釈（補給）水量が取水制限値を超える場合では、ステップ１２８で第１ろ液放流用ライン２２ａの開となっていたろ液放流用流量調節弁３３と補給水ライン４６の補給水流量調節弁３４を閉とし、ステップ１２９によりろ液はろ液蒸発用流量調節弁５１を開として、第２ろ液蒸発用ライン２３ｂより蒸発用ろ液槽３６と熱交換器４０を経由して気液分離器３９を通過して、産廃用ろ液受槽３８に受入れられ、ステップ１３０で産業廃棄物として処理される。
上記フローチャートに示すろ液の処理方法において、放流されるろ液排水の塩素濃度ＣＲと蒸発装置４１後流のボイラ供給蒸気ライン２４の配管スケーリング防止塩素濃度ＣＳは次のような関係にある。
【００６０】
式（１）によって放流されるろ液排水の塩素濃度ＣＲが成立する。
ＣＲ＝（ＦＲ×ＣＴ）/（ＦＲ＋ＦＷ＋Ｗ ）        （１）
ただし、ＦＲ：ろ液放流用ライン流量 (ｋｇ/ｈ)（流量計４２） 
ＦＷ：必要希釈量 (ｋｇ/ｈ) （＝ボイラ供給蒸気量）
ＣＴ：希釈前ろ液排水塩素濃度 (ｐｐｍ) (濃度計５０)
Ｗ ：補給水量 (ｋｇ/ｈ) （流量計５２）
また、蒸発装置４１後流のボイラ供給蒸気ライン２４の配管スケーリング防止塩素濃度ＣＳは式（２）、（３）によって管理する。
【００６１】
ＦＶ＝ＦＴ−ＦＲ                      （２）      
ＣＳ＝（ＦＶ×ＣＴ）/（ＦＶ−ＦＷ）   （３） 
ただし、ＦＴ：排水処理設備48出口の全体ろ液流量
ＦＶ：蒸発用ろ液流量 (ｋｇ/ｈ) 
こうして、ろ液中の塩素濃度が蒸発装置４１の蒸発管にスケーリングが発生しないような濃度になるようにそれぞれ第１ろ液放流用ライン２２ａのろ液流量と補給水ライン４６の補給水流量と第１ろ液蒸発用ライン２３ａのろ液蒸発用流量とボイラ供給蒸気ライン２４のボイラ供給蒸気流量を調整する運用を行う。
【００６２】
ろ液放流塩素濃度計４５による計測した第２ろ液放流用ライン２２ｂのろ液中の塩素濃度が、ろ液放流塩素濃度規制値以下であれば放流し、前記規制値を超えると産業廃棄物ろ液受槽３８へろ液を流す。
【００６３】
なお、上記実施例では、脱硫装置の吸収塔７から排出されるろ液量やろ液中の塩素濃度は発電所全体の運用や脱硫装置（吸収塔７）の運用により状況が変化することが有り得るので、必要希釈水量が取水制限値に対して上回るのか、下回るのか、蒸発装置４１の蒸気配管における塩素濃度がスケーリング濃度に対して上回るのか、下回るのか、また、ろ液を放流する場合の放流ろ液の塩素濃度が排水塩素濃度規制値に対して上回るのか、下回るのかは制御装置７０において適宜な時間間隔で判定され、その判定により条件に適合した運用に切り替えられることは本発明の応用技術として実施可能である。
【実施例２】
【００６４】
次に、実施例２の制御フローチャートを図４、図５に示す。
ステップ２０１にて各規制・制限値として取水制限値、排水塩素濃度規制値、ろ液蒸発後塩素濃度制限値を制御装置７０に入力しておく。排水処理設備４８からのろ液出口部に接続した第１ろ液蒸発用ライン２３ａにろ液が流入すると、ステップ２０２でろ液塩素濃度計５０により計測されたろ液塩素濃度に基づき補給水による希釈前のろ液放流濃度を算出し、次いでステップ２０３でろ液放流用流量調節弁３３と補給水流量調節弁３４を開とし、さらにろ液蒸発用流量調節弁５１を開とし、ステップ２０４で第２ろ液蒸発用ライン２３ｂのろ液抜出しポンプ４９を起動する。
【００６５】
次いでステップ２０２で計測した第１ろ液蒸発用ライン２３ａのろ液塩素濃度計５０の計測値に基づく希釈前ろ液排水塩素濃度、同じくステップ２０５で計測した第１ろ液蒸発用ライン２３ａのろ液流量計４３に基づくろ液流量を算出し、次いでステップ２０６において排水塩素濃度規制値以下となるようにろ液を希釈するための必要希釈水量を算出する。
【００６６】
ステップ２０７で必要希釈水量が取水制限値を超える水量となった場合、ステップ２０８で取水制限値以下となる希釈水量を新たに設定し、ステップ２０９で設定された希釈水量により希釈可能なろ液量を算出する。こうして、取水制限値を超えないような必要希釈水量により、以下のろ液の希釈を行う。
【００６７】
ステップ２１０においてろ液放流用流量計４３で測定されたろ液流量と算出された希釈可能なろ液量を比較する。そして、ろ液放流用流量計４３で測定されたろ液流量が算出された希釈可能なろ液量よりも少ない場合には、Ｓ２１９、Ｓ２２２〜Ｓ２２４のステップに移って、放流できる状態にしてろ液を放流する。
【００６８】
ステップ２１０においてろ液放流用流量計４３で測定されたろ液流量と算出された希釈可能なろ液量を比較する。そして、ろ液放流用流量計４３で測定されたろ液流量が算出された希釈可能なろ液量よりも多い場合には、第１にステップ２１１で第１ろ液蒸発用ライン２３ａのろ液蒸発用流量調節弁５１の流量としてをろ液流量計４３で測定されたろ液流量から先に算出されたステップ２０９で得られた希釈可能なろ液量を減じて算出したろ液量に設定する。また後述するが、第１のステップ２１１と共に後述するステップ２２０の第２のステップによりろ液放流量の設定も行われる。
【００６９】
ステップ２１１の次にステップ２１２で第１ろ液蒸発用ライン２３ａのろ液蒸発用流量がろ液蒸発用流量調節弁５１により流量調整され、ろ液は蒸発用ろ液槽３６に流入する。その後、ステップ２０２で計測した第２ろ液蒸発用ライン２３ａのろ液の塩素濃度計５０の測定値を入力し、ステップ２１３で該塩素濃度計５０の計測値が蒸発装置４１の蒸発管にスケーリングが発生する濃度未満であれば、ステップ２０１で制御装置７０に入力している第２ろ液放流用ライン２２ｂのろ液放流塩素濃度規制値と第２ろ液蒸発用ライン２３ｂのろ液蒸発後塩素濃度（＝蒸発装置４１の蒸発管スケーリング発生濃度以下の塩素濃度）に基づき、ステップ２１４で蒸発装置４１にボイラ１から蒸気を供給するためのボイラ供給蒸気流量調節弁３５を開とし、ステップ２１５で得られるろ液蒸発後塩素濃度制限値から算出される必要蒸気量によりボイラ供給蒸気量流量調節弁３５を介して供給される蒸気量が調節され、ステップ２１７で蒸発管塩素濃度計４４により測定された塩素濃度がろ液蒸発後塩素濃度より濃いとステップ２１６でボイラ供給蒸気量流量調節弁３５が調整され、再びステップ２１７において蒸発塩素濃度計４４により測定された塩素濃度がろ液蒸発後塩素濃度より薄くなるまで比較が繰り返され、前記蒸発塩素濃度計４４により測定された塩素濃度がろ液蒸発後塩素濃度が濃くなると、ステップ２１８において産廃用ろ液受槽３８に受入れられ、産業廃棄物として処理される。
【００７０】
また、ステップ２１３で、塩素濃度計５０の計測値が蒸発装置４１の蒸発管にスケーリングが発生する濃度以上であれば、ろ液はろ液蒸発用流量調節弁５１を介して、第２ろ液蒸発用ライン２３ｂより気液分離器３９を通過して、ステップ２１８にて、産廃用ろ液受槽３８に受入れられ、産業廃棄物として処理される。
【００７１】
また、第２にステップ２２０でろ液放流用流量調節弁３３の開度を調節して第１ろ液放流用ライン２２ａの流量を希釈可能なろ液流量として設定する。次いでステップ２２１で、第１ろ液放流用ライン２２ａのろ液放流用流量調節弁３３により流量調整されたろ液はろ液希釈槽３７に流入させる。さらに、ステップ２２３でろ液放流塩素濃度計４５により測定された塩素濃度が排水塩素濃度規制値以下となるように、ステップ２２２で補給水流量調節弁３４の流量を調整し、ステップ２２４にて補給水により希釈されたろ液がろ液希釈槽３７から放流される。
【符号の説明】
【００７２】
１  ボイラ    ７  吸収塔
２２ａ  第１ろ液放流用ライン
２２ｂ  第２ろ液放流用ライン
２３ａ  第１ろ液蒸発用ライン
２３ｂ  第２ろ液蒸発用ライン
２４  ボイラ供給蒸気ライン
２５  戻り蒸気ライン
２６  ろ液希釈用ドレン水ライン
３３  ろ液放流用流量調節弁
３６  蒸発用ろ液槽
３７  ろ液希釈槽
３８  産廃用ろ液受槽
３９  気液分離機
４０  熱交換器
４１  蒸発装置
４２  放流用ろ液流量計
４３  ろ液流量計
４４  蒸発管塩素濃度計
４５  放流ろ液塩素濃度計
４６  補給水ライン
４７  産廃用ろ液
４８  排水処理設備
４９  液抜出しポンプ
５０  ろ液塩素濃度計
５１  ろ液蒸発用流量調節弁
５３  ろ液蒸発用流量計
【図１】
2016059890.tif 000003
【図２】
2016059890.tif 000004
【図３】
2016059890.tif 000005
【図４】
2016059890.tif 000006
【図５】
2016059890.tif 000007
【図６】
2016059890.tif 000008